(57)【特許請求の範囲】
【請求項１】
磁気表示シートを配置する配置面を挟んで同極を対向配置した磁石対を有する磁界発生手段を有し、該磁界発生手段によって前記配置面上に平面磁界を形成し前記磁気表示シートに磁気的に書き込まれた可視表示を消去する磁気表示消去装置において、
前記磁石対の同極磁束の打ち消しあいによって生じる磁界強度がゼロとなる点（磁界死点）を前記配置面上に前記磁石対を結んで形成した投影図形の重心位置から偏寄させるように前記磁石対を磁化もしくは配置することを特徴とする磁気表示消去装置。
【請求項２】
磁気表示シートを配置する配置面を挟んで同極を対向配置した第１、第２の磁石からなる磁石対を有する磁界発生手段を有し、該磁界発生手段によって前記配置面上に平面磁界を形成し前記磁気表示シートに磁気的に書き込まれた可視表示を消去する磁気表示消去装量において、
配置面側方から前記磁石対に挟まれた空間へ向けられた磁極を有する第３の磁石を配置することによって前記第１、第２、第３の磁石に囲まれた空間内の配置面上のすべての領域を平面磁界で満たしたことを特徴とする磁気表示消去装置。
【請求項３】
磁気表示シートを配置する配置面を挟んで同極を対向配置した磁極面を有する磁界発生手段を有し、該磁界発生手段によって前記配置面上に平面磁界を形成し前記磁気表示シートに磁気的に書き込まれた可視表示を消去する磁気表示消去装置において、
前記磁界発生手段の前記磁極面は前記配置面側方部を介して連続もしくは連結された磁石体の一部であって、さらに前記磁気表示シートに対向する連続した面はほぼ連続的でかつ同極に磁化されていることを特徴とする請求項２記載の磁気表示消去装置。
【発明の詳細な説明】
【０００１】
【発明の属する技術分野】
本発明は、磁界に感応して可視情報を表示する磁気表示シートの磁気表示消去装置に関する。
【０００２】
【従来の枝術】
従来から、磁気ストライプが長手方向に沿って形成された磁気カードが、銀行キャッシュカード、クレジットカード、ＩＤカード等の分野で広く使用されている。磁気ストライプには、磁化の配向や強弱によってカード使用者の識別コード等が記録されている。
【０００３】
しかし、磁気ストライプに記録されたデータは目に見えない不可視情報であるため、記録データを直接確認するにはカードリーダ等の特別な装置が不可欠となる。
【０００４】
そこで、こうした磁気ストライプとは別の部分に、磁界に感応するマイクロカプセルを封入した磁気表示シートを形設した磁気カードが知られている（特開平６―１６８３６９等）。
【０００５】
図１２は、磁気表示シートの一例を示す断面図である。カプセル３には平板状の磁片５がオイル４とともに封入されており、さらに基材２と保護層６との間に多数のカプセル３が封入されている。磁片５に対して垂直磁界を印加すると磁片５が垂直に配向するため、光の反射率が減少して暗くなる。一方、磁片５に対して平面磁界を印加すると磁片５が平行に配向するため、光の反射率が増加して明るくなる。こうした原理に基づいて、磁気表示シート１は印加磁界の方向に応じて文字や記号等の可視情報を表示できるため、磁気カードの使い勝手が格段に向上する。
【０００６】
図１３は従来の磁気表示消去装置の一例を示し、図１３（ａ）は平面図、図１３（ｂ）は側面図である。こうした構成は、実開平７−６９０１号や特公昭５４−２９８９５号等に開示されており、カード表面に形設された磁気表示シート１を挟んで、相対する磁極の極性が同じになるように所定間隔で１対の磁石７を配置し、磁気表示シート１を移送して消去動作を実現している。
【０００７】
この構成において、磁気表示シート１に対してほぼ完全な平面磁界を作用させることができるため、消去品質の向上が期待できる。
【０００８】
【発明が解決しようとする課題】
しかしながら、図１３に示すように、同一形状、同一磁石強度、円形で板状の磁石７を平行に配置したため、磁石７を結んで磁気表示シート１の中心面上に投影した形状（この場合、磁石７を正射影した形状に等しい）の重心点Ａ（円の中心）では各磁石７からの磁界が磁気表示シートに対して垂直に作用し、しかも磁界の強さが等しいので互いに打ち消し合いゼロとなる。そのため磁気表示シート１において点Ａを通過する領域は消去動作が行われず黒線となって残留してしまう。これは、磁石形状が三角形や四角形、半円等であっても同様である。さらに、対向する磁極が複数あると、対向する磁極領域を磁気表示シート１の中心面上に投影（正射影）した複数の磁極領域形状の重心点で複数の黒線が残留してしまう。なお、点Ａ近傍以外の領域は理想的な平面磁界が作用するため、完全な消去が行われる。
【０００９】
こうした消去できない領域を回避するには、磁気表示シートｌが上述の点Ａ
近傍を通過しないように磁石７を配置する必要がある。したがって、図１３のような円形の磁石の場合には、磁石７の形成する磁界の半分より少ない領域しか消去動作に寄与せず、磁石７の空間利用効率が悪くなり、その結果、装置全体の小型化が困難になり、設計上の制約も多くなる。
【００１０】
本発明の目的は、小型の磁石を用いて理想的な消去磁界を実現できる磁気表示消去装置を提供することである。
【００１１】
【課題を解決するための手段】
本発明は、磁気表示シートを配置する配置面を挟んで同極を対向配置した磁石対を有する磁界発生手段を有し、該磁界発生手段によって前記配置面上に平面磁界を形成し前記磁気表示シートに磁気的に書き込まれた可視表示を消去する磁気表示消去装置において、
前記磁石対の同極磁束の打ち消しあいによって生じる磁界強度がゼロとなる点（磁界死点）を前記配置面上に前記磁石対を結んで形成した投影図形の重心位置から偏寄させるように前記磁石対を磁化もしくは配置することを特徴とする磁気表示消去装置である。
本発明に従えば、磁石が形成する平面磁界のうち消去に利用できる空隙空間を広くすることができる。また、磁石の作る空隙空間を効率的に利用できるため、磁石および装置の小型軽量化が図られる。
【００１２】
また本発明は、磁気表示シートを配置する配置面を挟んで同極を対向配置した第１、第２の磁石からなる磁石対を有する磁界発生手段を有し、該磁界発生手段によって前記配置面上に平面磁界を形成し前記磁気表示シートに磁気的に書き込まれた可視表示を消去する磁気表示消去装量において、
配置面側方から前記磁石対に挟まれた空間へ向けられた磁極を有する第３の磁石を配置することによって前記第１、第２、第３の磁石に囲まれた空間内の配置面上のすべての領域を平面磁界で満たしたことを特徴とする磁気表示消去装置である。
本発明に従えば、磁石に囲まれた空間内の配置面上において磁界がゼロとなる点が生じないため、空隙空間内の全ての領域を消去に利用することができる。また、磁石の作る空隙空間を効率的に利用できるため、磁石および装置の小型軽量化が図られる。
【００１３】
また本発明は、磁気表示シートを配置する配置面を挟んで同極を対向配置した磁極面を有する磁界発生手段を有し、該磁界発生手段によって前記配置面上に平面磁界を形成し前記磁気表示シートに磁気的に書き込まれた可視表示を消去する磁気表示消去装置において、
前記磁界発生手段の前記磁極面は前記配置面側方部を介して連続若しくは連結された磁石体の一部であって、さらに前記磁気表示シートに対向する連続した面はほぼ連続的でかつ同極に磁化されていることを特徴とする。
本発明に従えば、磁石の作る略Ｕ字形の空隙空間内の配置面上において磁界がゼロとなる点が生じないため、空隙空間内の全ての領域を消去に利用することができる。また、磁石の作る空隙空間を効率的に利用できるため、磁石および装置の小型軽量化が図られる。また、磁石が一体化されているため取り扱いが容易であり、さらに、製造も容易で低価格化が期待できる。たとえば可撓性のゴム磁石を治具に収めて屈曲させるだけで製造できる。
【００１４】
【発明の実施の形態】
図ｌは本発明の実施の第一の形態を示し、図１（ａ）は斜視図、図１（ｂ）は磁気表示シートの搬送方向に垂直な面での磁石等の断面図、図１（Ｃ）は図１（ｂ）における磁石の形成する磁界を示す磁束線図、図２は類似する他の形態を示す断面図、図３はさらにその他の例を示す斜視図である。なお、図ｌ（ａ）、図３における斜線領域は磁気表示シート１０の中心面上へ正射影した磁石２０の投影形状である。また、この中心面を磁気表示シート１０を配置する配置面と呼ぶ。
【００１５】
磁気表示シート１０はプラスチック等から成る長方形の基材ｌｌに形設され、不図示の搬送装置（例えばベルトコンベヤ等）で長手方向に搬送される。
【００１６】
同一形状、同一磁石強度、四角形で板状の磁石２０は磁気表示シート１０の搬送方向に沿って平行に、両者を所定間隔だけはなしてハ字状となるように磁気表示シート１０の配置面を挟んで同角度で傾斜させ、Ｎ極が対向するように配置されている。すなわち、磁石２０は磁気表示シート１０の配置面を挟んで面対称で配置されている。磁気表示シート１０は図示しない搬送手段によって、磁石２０によって構成される空隙空間内を搬送される。
【００１７】
通常、静磁場を考えたとき、電流による磁界はビオ・サバールの法則によって、磁性体や永久磁石による磁界は磁気モーメントを用いたクーロンの法則によって、さらに両者を足すことによって総合的な磁界が求められる。このようにして求められた磁石２０の形成する磁界の磁束線図は図ｌ（ｃ）のようになっている。
【００１８】
磁石２０は上述のように磁気表示シート１０の配置面を挟んで面対称で配置されているため、各々の磁石２０の磁界も磁気表示シート１０の配置面に対し面対称となり、その結果、磁気表示シート１０の配置面上で平面磁界が形成される。したがって、本発明の実施のこの形態では磁石によって形成された理想的な平面磁界と磁気表示シートの配置面が一致している。
【００１９】
図ｌ（ａ）に示すように、対向する四角形の磁石２０の角どうしを直線で結び、この直線と磁気表示シート１０の配置面の交点を結んで形成される磁石２０の投影形状は四角形（斜線領域）である。本発明の実施のこの形態の場合、磁石２０は磁気表示シート１０の配置面を挟んで面対称で配置されているため、磁石２０の投影形状は磁石を磁気表示シート１０の配置面上に正射影した形状と一致する。また、この四角形である投影形状の重心点はＧである。
【００２０】
点Ｋは各々の磁石２０からの磁界がぶつかり、相殺されて合成磁界の強さがゼロとなる所である。したがって、点Ｋ近傍では消去動作が行われないため、点Ｋ近傍を外した領域が消去可能な領域となる。このように同極磁束の打ち消しあいによって生じる磁界強度がゼロとなる点を磁界死点と呼ぶ。図１３に示した磁石を平行配置する従来の場合には、磁界死点Ｋと重心点Ｇが一致していたため投影形状の半分より少ない領域しか消去動作に寄与しなかった。これに対し、本発明の実施のこの形態では傾斜して磁気表示シート１０を挟んで同極が対向しているため、磁界死点Ｋは重心点Ｇと一致しない。磁界死点Ｋは磁石２０を磁気表示シート１０の配置面上に正射影した投影形状の長さＬの半分の位置より右側に移動しており、重心点Ｇでの磁界はゼロではない。磁界死点Ｋの左側部分（長さｌ側）は長さＬの半分以上となり、磁石２０の空間利用効率が増加したことになる。また、磁界死点Ｋ以外の領域では上述したように理想的な平面磁界となるため、図１（ｂ）のように、長さｌ側に磁気表示シート１０を配置・搬送すれば、磁気表示シート１０の全面を消去することができる。
【００２１】
また、図２に示す類似する他の形態は、磁石強度が図中左側に比べ右側の方が強く、同種の磁気モーメントの分布を持つ同一形状の磁石２０を平行に配置した状態の断面図である。この場合も磁石２０による合成磁界の磁界死点Ｋは磁石の投影形状の重心点Ｇと一致せず、磁気表示シート中心面上に正射影した磁石２０の長さＬの半分の位置より右側に移動しているため磁石２０の空間利用効率が増加する。すなわち、上述した例でも明らかなように、磁石２０の形状や磁気モーメントの分布および磁石２０の配置位置は、磁石２０によって平面磁界が形成できれば任意である。
【００２２】
また、図３に示すその他の例では磁気表示シート１０の搬送方向に、２つの磁極を並設して対向させた磁極を備える磁石２０を傾斜配置した例である。この場合、対向する磁極が形成する各々の合成磁界の磁界死点ＫＮ，ＫＳは各磁極領域を投影した形状の重心点ＧＮ，ＧＳと一致しない。したがって、磁気表示シート中心面上に投影した磁石２０の長さＬの半分の位置より右側に移動しているため、やはり磁石２０の空間利用効率が増加する。
【００２３】
なお、上述の例では磁気表示シート１０が搬送されたが、磁石２０が移動しても良いし、相対的に両者が移動しても良い。また、図１（ｂ）で示した磁石の断面が磁気表示シート１０の搬送方向に対し垂直でなく、搬送方向に対し所定の角度をなしている場合でも良い。また、磁気表示シート１０は磁石２０の投影形状と重なる位置に配置されていたが、投影形状の外側に配置されても良い。さらに、図１（ａ）、図２では磁石２０はＮ極を対向させていたが、Ｓ極を対向させても磁界の向きが反転するだけで上述の通りの結果となる。
【００２４】
図４は本発明のさらに異なる形態を示し、図４（ａ）は斜視図、図４（ｂ）は磁気表示シートの搬送方向に垂直な面での磁石等の断面図、図４（ｃ）は図４（ｂ）における磁石の形成する磁界を示す磁束線図、図５は類似する他の形態を示す斜視図である。
【００２５】
磁気表示シート１０はプラスチック等から成る長方形の基材１１に形設され、不図示の搬送装置（例えばベルトコンベヤ等）で長手方向に搬送される。
【００２６】
図４（ａ）に示すように、磁石２０は同一形状、同一磁石強度、四角形で板状の磁石２０ａ，２０ｂを磁気表示シート１０の搬送方向に沿って平行に、磁気表示シート１０の配置面に対し所定の間隔でＮ極を平行に対向させて配置し、板状の磁石２０ｃはその側方に、磁石２０ａ，２０ｂと垂直で磁気表示シート１０の配置面に対し面対称で交わるように磁石２０ａ，２０ｂから離れた位置にＮ極を磁石２０ａ，２０ｂの側に向けて配置されている。磁石２０ａ，２０ｂを磁気表示シート１０の配置面上に投影（正射影）した形状は四角形（斜線領域）であり、その重心点は点Ｇである。磁気表示シート１０は図示しない搬送手段によって、磁石２０によって構成される空隙空間内を搬送される。
【００２７】
磁気表示シート１０が搬送される空隙空間では、図４（ｂ）に示すように、磁気表示シート１０を上下と右側方の三方向からＮ極で包囲している。このとき、磁石２０ａ〜２０ｃによって生じる磁界の磁束線図は図４（ｃ）に示すように、Ｎ極から出た磁束は空隙空間から左方の外部空間へ主に発散する。また、磁気表示シート１０の配置面上では各磁石からの磁界の面対称性のために理想的な平面磁界となる。磁石２０ａ，２０ｂの合成磁界を考えた場合には、図１３に示す従来例と同様に重心点Ｇで磁界死点を生じていたが、磁石２０ｃが新たに加わったため、磁石２０ａ〜２０ｃの合成磁界では磁気表示シート１０の配置面上で磁界死点が生じなくなる。磁石２０ａ，２０ｂと磁石２０ｃの間には空間があるため、そこから磁石２０ａ，２０ｂのＮ極からの磁界が漏れる。しかし、空間を狭くしたり、磁石２０ｃの磁石強度を高くすることによってその漏れ量は減少し、空隙空間内全域での消去が可能となる。したがって、平面磁界上であれば、磁石２０によって構成される空隙空間内および外部空間においても消去が可能となり、磁石２０の空間利用効率が増す。そして、磁気表示シート１０を搬送すれば磁気表示シート全面の消去が可能となる。
【００２８】
なお、本発明の実施のこの形態では磁気表示シート１０が搬送されたが、磁石２０が移動しても良いし、相対的に両者が移動しても良い。また、磁石２０の配置は磁気表示シート１０の搬送方向に沿わないで、任意の角度だけずれて配置しても良い。また、磁気表示シート１０は磁石２０ａ，２０ｂの投影形状と重なる位置に配置されていたが、投影形状の外側に配置されても良い。また、磁石２０ａ，２０ｂは平行配置されているが、図１の第１の形態のように傾斜配置しても良い。また、磁石２０の形状や磁気モーメントの分布および磁石の配置位置は、磁石２０によって平面磁界が形成できれば任意である。また、図５のように磁気表示シート１０の搬送方向に２つ以上の磁極を並設し同極を対向させた磁極を備える磁石２０でも良い。さらに、図４（ａ）で磁石２０はＮ極で磁気表示シート１０を包囲していたが、Ｓ極で包囲しても磁界の向きが反転するだけで上述の通りの結果となる。
【００２９】
図６は本発明の実施のさらに別の形態を示し、図６（ａ）は斜視図、図６（ｂ）は磁気表示シートの搬送方向に垂直な面での磁石等の断面図、図６（ｃ）は図６（ｂ）における磁石の形成する磁界を示す磁束線図、図７は類似する他の形態を示す斜視図である。
【００３０】
磁気表示シート１０はプラスチック等から成る長方形の基材１１に形設され、不図示の搬送装置（例えばベルトコンベヤ等）で長手方向に搬送される。
【００３１】
図６（ａ）に示すように同一形状、同一磁石強度、四角形で板状の磁石２０は磁気表示シート１０の搬送方向に沿って平行に、両者の一端を接触してＶ字状となるように磁気表示シート１０の配置面を挟んで同角度で傾斜させ、Ｎ極が対向するように配置されている。すなわち、磁石２０は２個の磁石で構成されている。磁石２０を磁気表示シート１０の配置面上に投影（正射影）した形状は四角形（斜線領域）であり、その重心点は点Ｇである。磁気表示シート１０は図示しない搬送手段によって、磁石２０によって構成されるＶ字状の空隙空間内を搬送される。
【００３２】
磁気表示シート１０が搬送される空隙空間では、磁気表示シート１０の搬送方向に垂直な磁石２０の断面図において、磁気表示シート１０をＶ字状のＮ極で包囲している。このとき、磁石２０によって生じる磁界の磁束線図は図６（ｃ）に示すように、Ｎ極から出た磁束は空隙空間から外部空間へ発散する。また、磁気表示シート１０の配置面上では磁界の面対称性のために理想的な平面磁界となる。磁石２０の合成磁界は一端が所定間隔で離れている図１のような場合には磁気表示シート１０の配置面上で磁界死点を生じていた。しかし、各磁石２０のＮ極が発する右方向への磁束を磁石２０の一端を接触させてせき止めたために、Ｎ極が発する磁束の全てが左方向ヘ向き、磁気表示シート１０の配置面上で磁界死点を生じなくなる。したがって、磁気表示シート１０の配置面において、磁石２０によって構成される空隙空間内および外部空間においても消去が可能となり、磁石２０の空間利用効率が増す。そして、平面磁界上で磁気表示シート１０を搬送すれば磁気表示シート全面の消去が可能となる。
【００３３】
なお、本発明の実施のこの形態では磁気表示シート１０が搬送されたが、磁石２０が移動しても良いし、相対的に両者が移動しても良い。また、磁石２０の配置は磁気表示シート１０の搬送方向に沿わないで、任意の角度だけずれて配置しても良い。また、磁気表示シート１０は磁石２０の投影形状と重なる位置に配置されていたが、投影形状と重ならない位置に配置されても良い。また、磁石２０の形状や磁気モーメントの分布および磁石の配置位置は、磁石２０によって平面磁界が形成できれば任意である。さらに、図７のように磁気表示シート１０の搬送方向に２つ以上の磁極を並設して対向させた磁極を備えた磁石２０でも良い。
【００３４】
図８は本発明の実施の別の形態を示し、図８（ａ）は斜視図、図８（ｂ）は磁気表示シートの搬送方向に垂直な面での磁石等の断面図、図８（ｃ）は図８（ｂ）における磁石の形成する磁界を示す磁束線図、図９（ａ），（ｂ）は類似する他の形態を示す斜視図である。図１０、図１１はさらに他の形態を示す斜視図である。
【００３５】
磁気表示シート１０はプラスチック等から成る長方形の基材１１に形設され、不図示の搬送装置（例えばベルトコンベヤ等）で長手方向に搬送される。
【００３６】
図８に示すように磁石２０は磁気表示シート１０の搬送方向と垂直方向に、表面がＮ極、裏面がＳ極である長方形の板状磁石を磁気表示シート１０を挟んでＮ極が面対称で対向するようにＵ字形に形成したものである。磁石２０を磁気表示シート１０の中心面上に投影（正射影）した形状は四角形（斜線領域）であり、その重心点は点Ｇである。磁気表示シート１０は図示しない搬送手段によって、磁石２０によって構成されるＵ字形の空隙空間内を搬送される。
【００３７】
磁気表示シート１０が搬送される空隙空間は、磁気表示シート１０の搬送方向に垂直な磁石２０の断面図において、磁気表示シート１０を上下と右側方の三方向からＮ極で包囲している。このとき、磁石２０によって生じる磁界の磁束線図は図８（ｃ）に示すように、Ｎ極から出た磁束は空隙空間から外部空間へ発散する。また、磁気表示シート１０の配置面上では磁界の面対称性のために理想的な平面磁界となる。磁石２０の合成磁界は図６に示す形態と同様に磁気表示シート１０の配置面上で磁界死点が生じない。したがって、磁気表示シート１０は平面磁界上であれば、磁石２０によって構成される空隙空間内および外部空間においても消去が可能となり、磁石２０の空間利用効率が増す。また、磁石２０は一体化されているため製造や取り扱いが容易であるというメリットも有する。
【００３８】
なお、本発明の実施のこの形態では磁気表示シート１０が搬送されたが、磁石２０が移動しても良いし、相対的に両者が移動しても良い。また、磁石２０の配置は磁気表示シート１０の搬送方向に沿わないで、任意の角度だけずれて配置しても良い。また、磁気表示シート１０は磁石２０の投影形状と重なる位置に配置されていたが、投影形状と重ならない位置に配置されても良い。また、磁石２０の形状はＵ字形だけでなくコ字形、一体化されたＶ字形、馬蹄形等でも良い。また、図９（ａ）のように２つ以上の磁極を並設させた磁石２０でも良いし、さらに、図９（ｂ）のように磁石の厚みが変化するものであっても良い。また、図１０のように複数の磁石によって構成される略Ｕ字形の一体磁石であっても良い。また、図１１のように同極が対向する磁石部分が四角形だけでなく、三角形、半円、１／４円等でも良い。
【００３９】
なお、上述の全ての実施の形態における磁石は永久磁石であるが、電磁石で構成しても良い。電磁石の場合には、消去動作、非消去動作の選択がコイル等に流す電流の有無によって容易に選択できる。したがって、磁気表示シート１０が静止して位置決めされている状態で電磁石に電流を流して可視情報を消去することも可能である。
【００４０】
【発明の効果】
以上詳説したように本発明によれば、磁石が形成する平面磁界のうち消去に利用できる空隙空間を広くすることができ、磁石の空間利用効率が増す。また、磁石が形成する磁界を効率的に利用できるため、磁石および装置の小型軽量化を図ることができる。また、磁気表示シートの全面に渡って平面磁界を作用させることができるとともに、平面磁界上に搬送経路を設定することで未消去領域が現れてこない。
【図面の簡単な説明】
【図１】図１は本発明の実施の第１の形態を示し、図１（ａ）は斜視図、図１（ｂ）は磁気表示シートの搬送方向に垂直な面での磁石等の断面図、図１（ｃ）は図１（ｂ）における磁石の形成する磁界を示す磁束線図。
【図２】図２は類似する他の形態を示す断面図。
【図３】図３はさらにその他の例を示す斜視図。
【図４】図４は本発明のさらに異なる形態を示し、図４（ａ）は斜視図、図４（ｂ）は磁気表示シートの搬送方向に垂直な面での磁石等の断面図、図４（ｃ）は図４（ｂ）における磁石の形成する磁界を示す磁束線図。
【図５】図５は類似する他の形態を示す斜視図。
【図６】図６は本発明の実施のさらに別の形態を示し、図６（ａ）は斜視図、図６（ｂ）は磁気表示シートの搬送方向に垂直な面での磁石等の断面図、図６（ｃ）は図６（ｂ）における磁石の形成する磁界を示す磁束線図。
【図７】図７は類似する他の形態を示す斜視図。
【図８】図８は本発明の実施の別の形態を示し、図８（ａ）は斜視図、図８（ｂ）は磁気表示シートの搬送方向に垂直な面での磁石等の断面図、図８（ｃ）は図８（ｂ）における磁石の形成する磁界を示す磁束線図。
【図９】図９は類似する他の形態を示す斜視図。
【図１０】図１０はさらに他の形態を示す斜視図。
【図１１】図１１はさらに他の形態を示す斜視図。
【図１２】磁気表示シートの一例を示す断面図である。
【図１３】従来の磁気表示消去装置の一例を示し、図１３（ａ）は平面図、図１３（ｂ）は側面図である。
【符号の説明】
１０  磁気表示シート
１１  基板
２０  磁石
【図１】
0003631540.tif 000002
【図２】
0003631540.tif 000003
【図３】
0003631540.tif 000004
【図４】
0003631540.tif 000005
【図５】
0003631540.tif 000006
【図６】
0003631540.tif 000007
【図７】
0003631540.tif 000008
【図８】
0003631540.tif 000009
【図９】
0003631540.tif 000010
【図１０】
0003631540.tif 000011
【図１１】
0003631540.tif 000012
【図１２】
0003631540.tif 000013
【図１３】
0003631540.tif 000014